(57)【要約】      （修正有）【課題】インテリジェント宝石及びその製造の方法に関連する。【解決手段】宝石が台座と宝石本体４を分けて、前記台座に収容部を設け、前記収容部にインテリジェントの制御装置と無線の充電バッテリを設け、しかし前記宝石本体４が、前記台座に設けられ前記収容部と密閉に接続していることによって、構造が、簡単ですきなく、集積度が高く、応用範囲が広い宝石を製造し、製造されたインテリジェント宝石は、自行発光でき、無線充電、来電の呼び出しを行いうる機能を関連の装置で発揮でき、及びインテルジェント宝石は耐水性で内部電子部品の水によるダメージを防ぐことができる。【選択図】図３
2017164461.tif 000002
【特許請求の範囲】
【請求項１】
インテリジェント宝石であって、
前記宝石が台座と宝石本体を含み、前記台座が収容部を形成し、しかも前記収容部にインテリジェントの制御ユニットと無線の充電バッテリを設け、前記無線の充電バッテリは、前記インテリジェントの制御ユニットと電気的接続し、前記無線の充電バッテリが、前記インテリジェントの制御ユニットに供電し、前記宝石本体が、前記台座に設けられてしかも前記収容部と密封接続し；前記インテリジェントの制御ユニットは、電力管理モジュールと、センサモジュールと、処理モジュールと、呼び出しモジュールと、無線モジュールとを含み、
前記無線の充電バッテリは、前記インテリジェントの制御ユニットを通って、前記インテリジェントの制御ユニットと電気的接続し、それによって、前記無線の充電バッテリが充電と供電する機能を実現できており；
前記センサモジュールは、周辺環境の物理信号を検出しアナログ信号を生成するための複数のセンサユニットを含み；
前記処理モジュールは、前記センサモジュールによって送信されたアナログ信号を受信し、制御信号を生成し；
前記呼び出しモジュールは、前記処理モジュールによって送信された制御信号を受信し、前記制御信号によって呼び出し又はアナウンスを発信し；
前記無線モジュールは、前記処理モジュールが知能モバイルの終端と無線で接続することを実現でき、位置設定情報がさらに、知能モバイルの終端に送信され、しかも、知能モバイルの終端の制御指令を処理モジュールに送信することを特徴とする。
【請求項２】
前記制御信号は、発光制御信号、振動制御信号及び/又はサウンド制御信号となっており；
前記呼び出しモジュールは、発光モジュール、振動モジュール及び/又はサウンドモジュールを含み；
前記発光モジュールは、前記呼び出しモジュールにより発送した発光制御信号を受信し、そして前記発光制御信号により発光し；
前記振動モジュールは、前記処理モジュールにより発送した振動制御信号を受信し、そして前記振動制御信号により振動し；
前記サウンドモジュールは、前記処理モジュールにより発送したサウンド制御信号を受信し、そして前記サウンド制御信号によりサウンドすることを特徴とする請求項１にインテリジェント宝石。
【請求項３】
前記インテリジェントの制御ユニットは、定位モジュールを含み、決めた位置に定位し、定位情報を前記処理モジュールに送信することを特徴とする請求項１にインテリジェント宝石。
【請求項４】
前記台座は、底部ハウジングと上蓋を含み、前記底部ハウジングは、前記上蓋と相互に接続し密封の収容部を形成し、前記上蓋は開口部を設け、前記宝石本体は、前記開口部と密封接続することを特徴とする請求項１にインテリジェント宝石。
【請求項５】
前記上蓋の開き口部には、前記宝石本体を透視し前記収容部に設けられた制御ユニットと前記無線の充電バッテリを見ることを防止するために、透視を防ぐためのフィルムやプリント基板を設けることを特徴とする請求項４にインテリジェント宝石。
【請求項６】
インテリジェント宝石の製造方法であって、
ステップ１、下記のステップにより台座を作成し：
スッテプA）設計：前記インテリジェントの制御ユニットと無線の充電バッテリのサイズによって、３次元のソフトウェアで前記台座の３次元模型を制作し；
スッテプB）材料の選択：宝石の原料を選択し；
スッテプC）材料切断：設計の要求によって、切断装置で台座の形状及びサイズを切り出し、白地を得て、前記白地のサイズが、設計したサイズより大きく、次の定型作業に必要な余量を有しており;
スッテプD）定型：定型装置で白地を要求の台座の基本形状とサイズに作り、半製品の白地を得て、前記半製品の白地のサイズが、設計したサイズより大きく、次の研磨作業に必要な余量を有しており;
スッテプE）半製品の白地を予熱し、接着剤でスティックレバーに接着させて、研磨を準備し；
スッテプF）宝石研磨装置上にある研削砂のテーブルを使用し、半製品の白地が粗粉砕、粉砕、微粉砕を通って、設計した要求の刻み面と弧面を作る；
スッテプG）宝石研磨装置上にある研磨ディスクでそれぞれ異なる宝石に適合した研磨材料を加えて、半製品の白地を研磨し製品を作り；
スッテプH）３次元のソフトウェアで描かれた３次元模型をファイルに導き出し、前記ファイルを自動彫刻機に導入し、彫刻をし、中空の台座を得ており；
ステップ２：パッケージ
前記インテリジェントの制御ユニットと無線の充電バッテリのサイズを前記ステップ１にパッケージさせ、内部が中空となる台座を得て、そして宝石を台座に接着することを特徴とする。
【請求項７】
インテリジェント宝石の製造方法であって、上述したステップ  C)に、設計要求に応じて切断装置でそれぞれ底部ハウジングと上蓋に使われたシート材を切り出し、しかもそれぞれ加工した底部ハウジングの白地と上蓋の白地、前記上蓋の白地のサイズは、設計要求より大きくなっており、次の定型作業に必要な余量を有することを特徴とする請求項６にインテリジェント宝石の製造方法。
【請求項８】
上述したステップ  C)に、設定したサイズによって、彫刻機を使用し、前記底部ハウジングの白地と上蓋の白地の中空内部を収容部に形成させ、しかも設定したサイズによって、彫刻機を使用し、上蓋の白地の中空内部を開口部に形成することを特徴とする請求項７にインテリジェント宝石の製造方法。
【請求項９】
上述したパッケージは、下記のステップを含み：
前記インテリジェントの制御ユニットにある無線モジュールとセンサモジュールを上蓋にパッケージさせ、それによって、前記無線モジュールとセンサモジュールの感度を確保でき、前記インテリジェントの制御ユニットにある処理モジュール、呼び出しモジュール、無線モジュール、無線の充電バッテリを底部ハウジングに入れ、それによって、前記処理モジュール、前記呼び出しモジュール、前記無線モジュール、と前記無線の充電バッテリの安定性を確保でき、そして、接着剤で、均等に前記底部ハウジングと前記上蓋との接合処にコーティングさせ、前記底部ハウジングを前記上蓋と接着し、接着剤で、均等に前記上蓋と宝石との接合処にコーティングさせ、前記上蓋を宝石と接着することを特徴とする請求項８にインテリジェント宝石の製造方法。
【請求項１０】
上述したステップ  C)に、白地のサイズは、設計したサイズより１〜３ミリメートル大きくなっており、上述したステップ  D)に、半製品の白地のサイズは、設計したサイズより０.５〜１.０ミリメートル大きくなることを特徴とする請求項６にインテリジェント宝石の製造方法。
【発明の詳細な説明】
【技術分野】
【０００１】
本発明は、インテリジェント宝石及びその製造の方法に関する。
【背景技術】
【０００２】
宝石は、磨き、研磨をした後、宝石が求められた石材あるいは鉱物のレベルに達成することができる。人々の生活水準の高まりに従って、宝石をつける人はだんだん多くなって、しかし既存技術の中の宝石はただ飾る効果のみを備え、しかも、内部を中空にし、インテリジェントハードウェアを中空部に挿入させる方法を使用して宝石を調製することはない。既存技術において宝石と移動性インテリジェント機能媒体を結合して使用するものはない。
【発明の開示】
【発明が解決しようとする課題】
【０００３】
本発明の主な目的は、インテリジェント宝石及びその製造の方法を提供することである。
【課題を解決するための手段】
【０００４】
上述の目的を実現する本発明の具体的方案は、下記のように：
インテリジェント宝石であって、宝石が台座と宝石本体を含み、前記台座が収容部を形成し、前記収容部にインテリジェントの制御ユニットと無線の充電バッテリを設け、前記無線の充電バッテリは、前記インテリジェントの制御ユニットと電気的接続し、前記無線の充電バッテリが、前記インテリジェントの制御ユニットに供電している。前記インテリジェントの制御ユニットは、電力管理モジュール、センサモジュール、処理モジュール、呼び出しモジュール、無線モジュールを設ける。
【０００５】
前記無線の充電バッテリは、前記インテリジェントの制御ユニットを通って、前記インテリジェントの制御ユニットと電気的接続し、それによって、前記無線の充電バッテリが充電と供電する機能を実現できる。
【０００６】
前記センサモジュールは、周辺環境の物理信号を検出しアナログ信号を生成するための複数のセンサユニットを含み、加速度（スピード）センサ、光電センサ、赤外線センサ、ジャイロセンサ等に限定されことなく、それらをも含む。
【０００７】
前記処理モジュールは、前記センサモジュールによって送信されたアナログ信号を受信し、制御信号を生成する。
【０００８】
前記呼び出しモジュールは、前記処理モジュールによって送信された制御信号を受信し、前記制御信号によって呼び出し又はアナウンスを発信する。  
【０００９】
前記無線モジュールは、前記処理モジュールが知能モバイルの終端と無線で接続することを実現でき、位置設定情報がさらに、知能モバイルの終端に送信され、しかも、知能モバイルの終端の制御指令を処理モジュールに送信する。
【００１０】
好ましくは、前記制御信号は、発光制御信号、振動制御信号及び/又はサウンド制御信号となる。
【００１１】
前記呼び出しモジュールは、発光モジュール、振動モジュール及び/又はサウンドモジュールを含む。
【００１２】
前記発光モジュールは、前記呼び出しモジュールにより発送した発光制御信号を受信し、そして前記発光制御信号により発光する。
【００１３】
前記振動モジュールは、前記処理モジュールにより発送した振動制御信号を受信し、そして前記振動制御信号により振動する。
【００１４】
前記サウンドモジュールは、前記処理モジュールにより発送したサウンド制御信号を受信し、そして前記サウンド制御信号によりサウンドする。
【００１５】
好ましくは、前記インテリジェントの制御ユニットは、定位モジュールを含み、決めた位置に定位し、定位情報を前記処理モジュールに送信する。
【００１６】
好ましくは、前記台座は、底部ハウジングと上蓋を含み、前記底部ハウジングは、前記上蓋と相互に接続し密封の収容部を形成し、前記上蓋は開口部を設け、前記宝石本体は、前記開口部と密封接続する。
【００１７】
好ましくは、前記上蓋の開き口部には、前記宝石本体を透視し前記収容部に設けられた制御ユニットと前記無線の充電バッテリを見ることを防止するために、透視を防ぐためのフィルムやプリント基板を設ける。
【００１８】
インテリジェント宝石の製造方法であって、
ステップ１、下記のステップで台座を作成する：
スッテプA）設計：前記インテリジェントの制御ユニットと無線の充電バッテリのサイズによって、３次元のソフトウェアで台座の３次元模型を制作する；
スッテプB）材料の選択：宝石の原料を選択する；
スッテプC）材料切断：設計の要求によって、切断装置で台座の形状及びサイズを切り出し、白地を得て、前記白地のサイズが、設計したサイズより大きく、次の定型作業に必要な余量を有する;
スッテプD）定型：定型装置で白地を要求の台座の基本形状とサイズに作り、半製品の白地を得て、前記半製品の白地のサイズが、設計したサイズより大きく、次の研磨作業に必要な余量を有する;
スッテプE）半製品の白地を予熱し、接着剤でスティックレバーに接着させて、研磨を準備する；
スッテプF）宝石研磨装置上にある研削砂のテーブルを使用し、半製品の白地が粗粉砕、粉砕、微粉砕を通って、設計した要求の刻み面と弧面を作る；
スッテプG）宝石研磨装置上にある研磨ディスクでそれぞれ異なる宝石に適合した研磨材料を加えて、半製品の白地を研磨し製品を作る；
スッテプH）３次元のソフトウェアで描かれた３次元模型をファイルに導き出し、前記ファイルを自動彫刻機に導入し、彫刻をし、中空の台座を得る。
ステップ２、パッケージ
前記インテリジェントの制御ユニットと無線の充電バッテリのサイズを前記ステップ１にパッケージさせ、内部が中空となる台座を得て、そして宝石を台座に接着する。
【００１９】
好ましくは、上述したステップ  C)に、設計要求に応じて切断装置でそれぞれ底部ハウジングと上蓋に使われたシート材を切り出し、しかもそれぞれ加工した底部ハウジングの白地と上蓋の白地、前記上蓋の白地のサイズは、設計要求より大きくなっており、次の定型作業に必要な余量を有する。
【００２０】
好ましくは、上述したステップ  C)に、設定したサイズによって、彫刻機を使用し、前記底部ハウジングの白地と上蓋の白地の中空内部を収容部に形成させ、しかも設定したサイズによって、彫刻機を使用し、上蓋の白地の中空内部を開口部に形成する。
【００２１】
好ましくは、上述したパッケージは、下記のステップを含み：
前記インテリジェントの制御ユニットにある無線モジュールとセンサモジュールを上蓋にパッケージさせ、それによって、前記無線モジュールとセンサモジュールの感度を確保でき、前記インテリジェントの制御ユニットにある処理モジュール、呼び出しモジュール、無線モジュール、無線の充電バッテリを底部ハウジングに入れ、それによって、前記処理モジュール、前記呼び出しモジュール、前記無線モジュール、と前記無線の充電バッテリの安定性を確保でき、そして、接着剤で、均等に前記底部ハウジングと前記上蓋との接合処にコーティングさせ、前記底部ハウジングを前記上蓋と接着する。
【００２２】
接着剤で、均等に前記上蓋と宝石との接合処にコーティングさせ、前記上蓋を宝石と接着する。
【００２３】
好ましくは、上述したステップ  C)に、白地のサイズは、設計したサイズより１〜３ミリメートル大きくなる。
【００２４】
上述したステップ  D)に、半製品の白地のサイズは、設計したサイズより０.５〜１.０ミリメートル大きくなる。
【発明の効果】
【００２５】
本発明によるインテリジェント宝石の製造方法は、宝石が台座と宝石本体を分けて、前記台座に内部が中空の収容部を設けることによって、そして、インテリジェントの制御ユニットをパッケージさせ、構造が、簡単ですきなく、集積度が高く、応用範囲が広い宝石を製造し、製造されたインテリジェント宝石は、自行発光でき、無線充電、来電の呼び出し機能を関連装置の設置で発揮でき、及びインテルジェント宝石は耐水性で内部電子部品の水によるダメージを防ぐことができる。
【００２６】
下記の図面説明は、本発明を理解させるために、提供し、本明細書に記載された内容に、本発明を限定するものではない。
【図面の簡単な説明】
【００２７】
【図１】本発明の実施形態による台座の組立結構を示す図である。
【図２】本発明の実施形態による立体の結構を示す図である。
【図３】本発明の実施形態によるパッケージを示す図である。
【図４】本発明の実施形態によるインテリジェントの制御ユニットを示す図である。
【発明を実施するための最良の形態】
【００２８】
下記の記載は、添付の図面及び本発明の具体的な実施形態を合わせて、詳細に本発明を説明し、しかしながら、これは、本発明を限定させるものではない。
（実施形態）
図１〜４を参照し、インテリジェント宝石であって、前記宝石が台座と宝石本体４を含み、前記台座が収容部を形成し、前記収容部にインテリジェントの制御ユニット２１と無線の充電バッテリ２２を設け、前記無線の充電バッテリ２２は、前記インテリジェントの制御ユニット２１と電気的接続し、前記無線の充電バッテリ２２が、前記インテリジェントの制御ユニット２１に供電している。前記宝石本体４が、前記台座に設けられ前記収容部と密閉に接続する。
【００２９】
前記インテリジェントの制御ユニット２１は、電力管理モジュール、センサモジュール、処理モジュール、呼び出しモジュール、無線モジュールを含み；
前記無線の充電バッテリ２２は、前記インテリジェントの制御ユニット２１を通って、前記インテリジェントの制御ユニット２１と電気的接続し、それによって、前記無線の充電バッテリ２２が充電と供電する機能を実現できており；
前記センサモジュールは、周辺環境の物理信号を検出しアナログ信号を生成するための複数のセンサユニットを含み、例えば、スピードの変化を検知するスピードセンサーであり；
前記処理モジュールは、前記センサモジュールによって送信されたアナログ信号を受信し、制御信号を生成し；
前記呼び出しモジュールは、前記処理モジュールによって送信された制御信号を受信し、前記制御信号によって呼び出し又はアナウンスを発信し；
前記無線モジュールは、前記処理モジュールが知能モバイルの終端と無線で接続することを実現でき、位置設定情報がさらに、知能モバイルの終端に送信され、しかも、知能モバイルの終端の制御指令を処理モジュールに送信する。
【００３０】
本実施形態に、前記制御信号は、発光制御信号、振動制御信号及び/又はサウンド制御信号となる。前記呼び出しモジュールは、発光モジュール、振動モジュール及び/又はサウンドモジュールを含む。前記発光モジュールは、前記呼び出しモジュールにより発送した発光制御信号を受信し、そして前記発光制御信号により発光する。前記振動モジュールは、前記処理モジュールにより発送した振動制御信号を受信し、そして前記振動制御信号により振動する。前記サウンドモジュールは、前記処理モジュールにより発送したサウンド制御信号を受信し、そして前記サウンド制御信号によりサウンドする。
【００３１】
本実施形態に、前記インテリジェントの制御ユニット２１は、定位モジュールを含み、決めた位置に定位し、定位情報を前記処理モジュールに送信する。
【００３２】
本実施形態に、前記台座は、底部ハウジング３と上蓋１を含み、前記底部ハウジング３は、前記上蓋１と相互に接続し密封の収容部を形成し、前記上蓋１は開口部１１を設け、前記宝石本体４は、前記開口部１１と密封接続する。
【００３３】
本実施形態に、前記上蓋の開口部１１の処に、透視を防ぐためのフィルムやプリント基板を設け、台座から放出された光は、透視を防ぐためのフィルムやプリント基板を通って、前記宝石本体４に照射することができて、それによって、前記宝石本体４は、より良い視覚効果を生成させることができ、当時に、前記宝石本体４を透視し前記収容部に設けられた制御ユニットと前記無線の充電バッテリ２２を見ることを防止できる。台座が、発光しない時、外部からの光線が、透視を防ぐためのフィルムやプリント基板から前記宝石本体４によって反射され、前記宝石本体４を台座が発光しない際に、美しく眩しいものとなる。
【００３４】
本実施形態において、前記台座の材質は、宝石となる。
【００３５】
インテリジェント宝石の製造方法であって、下記のステップがあり：
ステップ１、下記のステップで台座を作成する：
スッテプA）設計：前記インテリジェントの制御ユニット２１と無線の充電バッテリ２２のサイズによって、３次元のソフトウェアで台座の３次元模型を制作する；
スッテプB）材料の選択：宝石の原料を選択する；
スッテプC）材料切断：設計の要求によって、切断装置で台座の形状及びサイズを切り出し、白地を得て、前記白地のサイズが、設計したサイズより１−３ｍｍほど大きく、次の定型作業に必要な余量を有する;
スッテプD）定型：定型装置で白地を要求の台座の基本形状とサイズに作り、半製品の白地を得て、前記半製品の白地のサイズが、設計したサイズより０.５−１.０ｍｍほど大きく、次の研磨作業に必要な余量を有する;
スッテプE）半製品の白地を予熱し、接着剤でスティックレバーに接着させて、研磨を準備する；
スッテプF）宝石研磨装置上にある研削砂のテーブルを使用し、半製品の白地が粗粉砕、粉砕、微粉砕を通って、設計した要求の刻み面と弧面を作る；
スッテプG）宝石研磨装置上にある研磨ディスクでそれぞれ異なる宝石に適合した研磨材料を加えて、半製品の白地を研磨し製品を作る；
スッテプH）３次元のソフトウェアで描かれた３次元模型をファイルに導き出し、前記ファイルを自動彫刻機に導入し、彫刻をし、内部が中空の台座を得る。
ステップ２、パッケージ
前記インテリジェントの制御ユニット２１と無線の充電バッテリ２２のサイズを前記ステップ１にパッケージさせ、内部が中空となる台座を得て、そして宝石を台座に接着する。
【００３６】
好ましくは、上述したステップ  C)に、設計要求に応じて切断装置でそれぞれ底部ハウジング３と上蓋１に使われたシート材を切り出し、しかもそれぞれ加工した底部ハウジング３の白地と上蓋１の白地、前記底部ハウジング３の白地と前記上蓋１の白地のサイズは、設計要求より大きくなっており、次の定型作業に必要な余量を有する。
【００３７】
本実施形態において、台座は、底部ハウジング３と上開口部を分けて、従って、上述したステップ  C)に、設定したサイズによって、彫刻機を使用し、前記底部ハウジング３の白地と上蓋１の白地の中空内部を収容部に形成させ、しかも設定したサイズによって、彫刻機を使用し、上蓋１の白地の中空内部を開口部１１に形成する。
【００３８】
本実施形態において、上述したパッケージは、下記のステップを含み：
前記インテリジェントの制御ユニット２１にある無線モジュールとセンサモジュールを上蓋１にパッケージさせ、それによって、前記無線モジュールとセンサモジュールの感度を確保でき、前記インテリジェントの制御ユニット２１にある処理モジュール、呼び出しモジュール、無線モジュール、無線の充電バッテリ２２を底部ハウジング３に入れ、それによって、前記処理モジュール、前記呼び出しモジュール、前記無線モジュール、と前記無線の充電バッテリ２２の安定性を確保でき、そして、接着剤で、均等に前記底部ハウジング３と前記上蓋との接合処にコーティングさせ、前記底部ハウジング３を前記上蓋１と接着する。接着剤で、均等に前記上蓋１と宝石との接合処にコーティングさせ、前記上蓋１を宝石と接着する。
【００３９】
本実施形態に、前記接着剤は、ABグルー或いはUVグルーとなる。
【００４０】
上述したのは、本発明の好ましい実施例であって、詳細に、説明し、具体的の実施例で本発明実施例の原理と実施方法を説明し、しかも、ここの実施例は、本発明実施例の原理を理解可能にしており、同時に、本発明は、上記実施の形態において説明したものに限定されるものではなく、発明の要旨を逸脱しない範囲において適宜設計変更可能なことは勿論である。
【符号の説明】
【００４１】
１            上蓋
３            底部ハウジング
４            宝石本体
１１          開口部
２１          インテリジェントの制御ユニット
２２          無線の充電バッテリ
【図１】
2017164461.tif 000003
【図２】
2017164461.tif 000004
【図３】
2017164461.tif 000005
【図４】
2017164461.tif 000006